(57)【特許請求の範囲】
【請求項１】
ゴム・合成樹脂からなり断面がアーチ形状の伸縮部とその両側の固定部を有する可撓止水部材であって、直線状に延長する第１の可撓止水部材と、該第１の可撓止水部材と交差するようにして延長する第２の可撓止水部材とを一体成形してなり、該伸縮部を隣接する複数のコンクリート構造物間の目地を覆うようにして配置し、該固定部を各コンクリート構造物に固定するコンクリート構造物の目地止水継手において、
隣接するコンクリート構造物間の変位に追随して該第１および第２の可撓止水部材が交差する交差部における該伸縮部の伸縮を許容する凹状に傾斜する傾斜部を該交差部における該伸縮部に形成したことを特徴とするコンクリート構造物の目地止水継手。
【発明の詳細な説明】
【０００１】
【発明の属する技術分野】
本発明は、配水池の床板等のコンクリート構造物の十字状またはＴ字状目地止水継手に関する。
【０００２】
【従来の技術】
配水池の床板等のコンクリート構造物の十字状の目地止水継手として、図１２に示すように、横断面形状がＶ字形（またはＵ字形）断面の可撓止水部材を使用する継手がある。この継手の可撓止水部材ａは、十字状に一体成形された伸縮部ｂと、その両側の平坦な固定部ｃからなり、この可撓止水部材ａを隣接する４つのコンコリート構造物間の目地ｅを覆うようにして配置し、固定部ｃをアンカーｆで各コンクリート構造物に固定してなるものである。
【０００３】
【発明が解決しようとする課題】
上記Ｖ字形（またはＵ字形）断面の十字状の可撓止水部材を使用する継手は、目地が地震等のためＸ方向またはＹ方向に開いた場合に、交差部ｄ以外の部分ではＶ字形断面の伸縮部ｂが拡開することによって目地の変位に追随して伸びることができるが、交差部ｄにおいては、部材の断面形状は、横断面形状がＶ字形（またはＵ字形）ではなく直線状であるので、この部分の材料の許容伸び率の範囲内でしか伸びることができず、目地の大きな開きに追随することができないという問題点がある。
【０００４】
この問題を解決するために、本出願人は、先に、特開２００１−２０３９３
号公報に示される目地止水継手を提案した。この継手によれば、可撓止水部材は、第１のシート部分とその側縁部の一部から十字状またはT字状に延在する第２のシート部分を備え、第１のシート部分は第１の折畳み部の折目と交差する方向の折目に沿って第２のシート部分の折畳み部と同一の断面形状に折畳まれた第２の折畳み部を有し、この第２の折畳み部は第２のシート部分の折畳み部に連続するようにして一体的に接続されているので、十字状またはT字状の目地がいずれの方向に開いても可撓止水部材はこの目地の開きに追随して展開することができ、止水を維持することができる。
【０００５】
この止水継手は、可撓止水部材の厚みが比較的に薄い場合は容易に製造することができるが、可撓止水部材の厚みが大きくなると製造が困難となる難点がある。また、目地の開きに追随して第１および第２のシート部分が展開した後目地が閉じて原状に復帰した場合に、これらシート部分が展開したままの状態で残り、きちんと折畳まれた原状に必ずしも復帰できないという問題点がある。
【０００６】
本発明は、上記従来の技術の各問題点にかんがみなされたものであって、複数のコンクリート構造物の間に形成される目地が十字状またはＴ字状に交差する場合に、目地がいずれの方向に開いても、これに充分に追随して伸縮変形することによって止水を維持することができるとともに、可撓止水部材の厚みの大小にかかわらず製造することができ、かつ目地が開いた状態から原状に復帰した場合に継手が原状に復帰することができるコンクリート構造物の目地止水継手を提供しようとするものである。
【０００７】
上記課題を解決する請求項１記載の本発明にかかるコンクリート構造物の目地止水継手は、ゴム・合成樹脂からなり断面がアーチ形状の伸縮部とその両側の固定部を有する可撓止水部材であって、直線状に延長する第１の可撓止水部材と、該第１の可撓止水部材と交差するようにして延長する第２の可撓止水部材とを一体成形してなり、該伸縮部を隣接する複数のコンクリート構造物間の目地を覆うようにして配置し、該固定部を各コンクリート構造物に固定するコンクリート構造物の目地止水継手において、隣接するコンクリート構造物間の変位に追随して該第１および第２の可撓止水部材が交差する交差部における該伸縮部の伸縮を許容する凹状に傾斜する傾斜部を該交差部における該伸縮部に形成したことを特徴とするものである。
【００１０】
【作用】
本発明によれば、隣接するコンクリート構造物間の変位に追随して第１および第２の可撓止水部材の交差部における伸縮部の伸縮を許容する傾斜部を交差部における伸縮部に形成したので、十字状またはＴ字状の目地がいずれの方向に変位しても、この傾斜部が目地の変位に追随して伸縮することにより、可撓止水部材の伸縮部はその交差部を含めて充分に伸縮することができ、止水を維持することができる。また、可撓止水部材の厚みの大小にかかわらず製造することができ、かつ目地が開いた状態から原状に復帰した場合に継手が原状に復帰することができる。
【００１１】
【発明の実施の形態】
以下添付図面を参照して、本発明の実施の形態について説明する。
図１〜図４は本発明の１実施形態を示すもので、図１は目地止水継手の斜視図、図２は図１のＡ−Ａ断面図、図３は図１のＢ−Ｂ断面図、図４は継手がＸ方向およびＹ方向に伸張した状態を示す斜視図である。
【００１２】
目地止水継手１は、ゴム・合成樹脂からなり横断面が上方に突起するＶ字形のアーチ形状の伸縮部４とその両側の固定部５を有する可撓止水部材であって、直線状に延長する第１の可撓止水部材２と、この第１の可撓止水部材と十字状に交差するようにして延長する第２の可撓止水部材３とを一体成形してなるものである。この継手１の各伸縮部４をそれぞれ隣接する複数のコンクリート構造物６、７、８、９間の目地１０、１１、１２、１３を覆うようにして配置し、各固定部５を押え板１４を介してアンカーボルト１５により各コンクリート構造物６、７、８、９に固定する。
【００１３】
第１および第２の可撓止水部材２、３の交差部１６における伸縮部４の突起部４ａには、隣接するコンクリート構造物６、７、８、９間の変位に追随して伸縮部４の突起部４ａの伸縮を許容する傾斜部１７が形成されている。
【００１４】
本実施形態において、傾斜部１７は伸縮部４の凹状に傾斜する傾斜部として形成されている。すなわち、傾斜部１７は伸縮部４の突起部４ａの長手方向に延長する十字状の凹部からなり、第１の可撓止水部材２および第２の可撓止水部材３の各傾斜部部分は、図１のＡ−Ａ方向に切断して見ると、図２に示すように、傾斜部１７の両端部１７ａ、１７ａから交差部１６の中心１６ａに向かって次第に降下する傾斜面１７ｂ、１７ｂとして形成されており、この傾斜部１７を図１においてＢ−Ｂ方向に切断して見ると、図３に示すように、２つのピーク部分１７ｃ、１７ｃとその間の谷部１７ｄからなる形状を呈している。
【００１５】
この継手１の動作について説明する。地震等によりコンクリート構造物６、７、８、９の１または複数が伸縮変位すると、第１および第２の可撓止水部材２、３の対応する伸縮部４は、このコンクリート構造物６、７、８、９の変位に追随して伸縮する。この場合交差部１６においては、伸縮部４は傾斜部１７が伸長または収縮することが可能であるので、伸縮部４の他の部分と同様にコンクリート構造物６、７、８、９の変位に追随して伸縮することができる。したがって、伸縮部４が全体として充分に伸縮変形することができ、止水を充分に維持することができる。図４は、一例として、コンクリート構造物６、７、８、９がＸ方向およびＹ方向に伸長した場合の継手１の伸縮部４の伸長状態を示す斜視図である。
【００１６】
図５〜図７は本発明の他の実施形態を示すもので、図５はその斜視図、図６は図５のＡ−Ａ断面図、図７は図５のＢ−Ｂ断面図である。この実施形態およびその後に説明する実施態様において、図１〜図４の実施形態と同一構成部分は同一符号で示し、その詳細な説明を省略する。
【００１７】
この実施形態において、傾斜部２０は伸縮部４の凸状に傾斜する傾斜部として形成されている。すなわち、傾斜部２０は十字状の凸部からなり、第１の可撓止水部材２および第２の可撓止水部材３の各傾斜部部分は、図５のＡ−Ａ方向に切断して見ると、図６に示すように、傾斜部２０の両端部２０ａ、２０ａから交差部１６の中心１６ａに向かって次第に上昇する傾斜面２０ｂ、２０ｂとして形成されており、この傾斜部２０を図５においてＢ−Ｂ方向に切断して見ると、図７に示すように、一つのピーク２０ａを有する突起部からなる形状を呈している。
【００１８】
交差部１６における傾斜部の形状は上記各実施形態における凹状または凸状のＶ字形傾斜部に限らず、例えば図８に符号３０で示すようなＵ字形断面の傾斜部等他の形状であってもよい。
【００１９】
図９は本発明の他の実施形態を示す斜視図である。この実施形態において、傾斜部３２は十字状の凹状傾斜部である点で図１の実施態様と同様であるが、図１の実施形態と異なり、十字状の傾斜部３２は伸縮部４の突起部４ａの長手方向ではなく、突起部４ａの長手方向と約４５度の角度で延長するように形成されている。
【００２０】
図１０は本発明の他の実施形態を示す斜視図である。この実施形態においては、コンクリート構造物間の目地１０、１１、１２、１３には溝１０ａ、１１ａ、１２ａ、１３ａが形成されており、可撓止水部材２、３の伸縮部４０は逆アーチ形状の横断面を有する凹部４０aとして形成され、溝１０ａ、１１ａ、１２ａ、１３ａ内に収容されている。傾斜部４２は、凹部４０ａの底面から交差部１６の中心に向って次第に上昇する十字状傾斜面として形成されている。
【００２１】
以上伸縮部の傾斜部の種々の例について説明したが、傾斜部の形状は上記の例に限るものではなく、要は交差部における各可撓止水部材の長手方向断面が直線状でなく、なんらかの形状のたるみを持たせた形状であって、隣接するコンクリート構造物間の相対変位に追随して交差部における伸縮部の伸縮を許容する形状であればどのような形状でもよく、その凸部または凹部も１つに限るものではなく複数連続するものでもよい。
【００２２】
なお、本明細書において、「アーチ形状」とは図１および図５のアーチ形状のみならず、図１０の逆アーチ形状も含めた意味で使用するものである。またアーチ形状の伸縮部は１つのV字形状またはU字形状に限らず、V字形またはU字形等の形状の複数波状に形成してもよい。たとえば図５の実施形態の１変形である図１１の斜視図に示す実施形態のように、アーチ形状伸縮部５０を２つのV字形形状が連続する形状に形成してもよい。
【００２３】
【発明の効果】
以上述べたように、本発明によれば、隣接するコンクリート構造物間の変位に追随して第１および第２の可撓止水部材の交差部における伸縮部の伸縮を許容する傾斜部を交差部における伸縮部に形成したので、十字状またはＴ字状の目地がいずれの方向に変位しても、この傾斜部が目地の変位に追随して伸縮することにより、可撓止水部材の伸縮部はその交差部を含めて充分に伸縮することができ、止水を維持することができる。また、本発明の継手は、可撓止水部材の厚みの大小にかかわらず製造することができ、かつ目地が開いた状態から原状に復帰した場合に継手が原状に復帰することができる
【図面の簡単な説明】
【図１】本発明の１実施形態を示す斜視図である。
【図２】図１のＡ−Ａ断面図である。
【図３】図１のＢ−Ｂ断面図である。
【図４】継手がＸ方向およびＹ方向に伸長した状態を示す斜視図である。
【図５】本発明の他の実施形態を示す斜視図である。
【図６】図５のＡ−Ａ断面図である。
【図７】図５のＢ−Ｂ断面図である。
【図８】傾斜部の他の形状を示す断面図である。
【図９】本発明の他の実施形態を示す斜視図である。
【図１０】本発明の他の実施形態を示す斜視図である。
【図１１】本発明の他の実施形態を示す斜視図である。
【図１２】従来の十字状継手を示す斜視図である。
【符号の説明】
１    地止水継手
２    第１の可撓止水部材
３    第２の可撓止水部材
４、４０、５０    伸縮部
５    固定部
６、７、８、９    コンクリート構造物
１０、１１、１２、１３    目地
１６    交差部
１７、２０、３０、３２、４２    傾斜部
【図１】
0003670621.tif 000002
【図２】
0003670621.tif 000003
【図３】
0003670621.tif 000004
【図４】
0003670621.tif 000005
【図５】
0003670621.tif 000006
【図６】
0003670621.tif 000007
【図７】
0003670621.tif 000008
【図８】
0003670621.tif 000009
【図９】
0003670621.tif 000010
【図１０】
0003670621.tif 000011
【図１１】
0003670621.tif 000012
【図１２】
0003670621.tif 000013